(57)【要約】【課題】高い防水性能を維持しながら、パネルの孔内から簡単に取り外すことができ、かつ、簡単な構造で安価に製造できるグロメットを提供する。【解決手段】グロメット１はパネル２の孔３に取り付けられる。グロメット１は、アウタグロメット１０とインナグロメット２０とを備えている。アウタグロメット１０は、小径筒部１１と拡径筒部１２とを備えている。係止凹部１３は、拡径筒部１２の他端部１２ｂに設けられ、パネル２の孔３に係止する。係止凹部１３は、拡径筒部１２の他端部１２ｂ寄りの第１の壁１４と、第１の壁１４と対向する拡径筒部１２の一端部１２ａ寄りの第２の壁１５とにより形成されている。第２の壁１５は、凹み１８を備えている。凹み１８は、第２の壁１５の第１の壁１４から離れた外表面から凹に設けられ、アウタグロメット１０の周方向に沿って設けられている。インナグロメット２０は、凹み１８内に収容される筒部２１を備えている。【選択図】図２
2009183085.tif 000002
【特許請求の範囲】
【請求項１】
弾性材料から構成されかつ筒状に形成されて内側にワイヤハーネスを通すアウタグロメットと、前記アウタグロメットの一端部側に設けられた係止凹部と、を備え、前記アウタグロメットをパネルの孔内に挿入し、前記係止凹部が前記孔内に係止するグロメットにおいて、
前記係止凹部が、前記アウタグロメットの一端部寄りの第１の壁と、この第１の壁と対向する前記アウタグロメットの他端部寄りの第２の壁と、により形成され、前記第２の壁を内方に撓ませて孔内に係止し、
前記第１の壁と前記第２の壁とのうちの一方の他方から離れた外表面から凹に設けられ、かつ、前記アウタグロメットの周方向に沿った凹みを備えるとともに、
前記凹み内に収容される筒部を有したインナグロメットを備えたことを特徴とするグロメット。
【請求項２】
前記凹みと前記筒部とのうちの一方に設けられかつ一方から他方に向かって突出した突部と、他方に設けられ前記突部と係合する溝部と、を備えたことを特徴とする請求項１に記載のグロメット。
【請求項３】
前記突部が、前記凹みの互いに対向する一対の内面のそれぞれの内面から凸に設けられているとともに、
一対の前記突部の先端同士が、前記アウタグロメットの軸心方向に沿ってずれて設けられたことを特徴とする請求項２に記載のグロメット。
【請求項４】
前記インナグロメットが、前記筒部に連なり前記凹み外に配される突出部を備えたことを特徴とする請求項１ないし請求項３のうちいずれか一項に記載のグロメット。
【発明の詳細な説明】
【技術分野】
【０００１】
本発明は、車両としての自動車等の車体を構成するパネルに取り付けられかつ内側にワイヤハーネスを通すグロメットに関する。
【背景技術】
【０００２】
車両としての自動車等の車体を構成するパネルに設けられた孔内にワイヤハーネスを通し、かつ該ワイヤハーネスに水等の水分（液体）が付着することを防止するために、従来から種々のグロメットが用いられてきた。
【０００３】
近年、環境問題を考慮して、廃車等の自動車解体時における部品材料毎の分別回収、及びその後の廃棄やリサイクルが要求されている。このため、前述したグロメットについても、例えば、解体作業時に簡単にパネルから取り外すことができるグロメットが提案されている（例えば、特許文献１参照）。
【０００４】
特許文献１に記載されたグロメット１０１は、図１０に示すように、アウタグロメット１１０と、インナグロメット１２０とを備えている。アウタグロメット１１０は、ゴム等の弾性材料から構成されている。アウタグロメット１１０は、内側にワイヤハーネス１０４を通す小径筒部１１１と、小径筒部１１１と同軸かつ直列に連なる大径筒部１１２と、大径筒部１１２の内側に設けられたフランジ嵌合部１１３及びアーム収容部１１４と、大径筒部１１２の一端から突出したリップ１１５とを備えている。
【０００５】
インナグロメット１２０は、合成樹脂等から構成されている。インナグロメット１２０は、小径筒部１１１内に通されたワイヤハーネス１０４を内側に通す内筒部１２１と、内筒部１２１の外側に配される外筒部１２２と、外筒部１２２の一端に連なり遊挿孔１２３を有したフランジ１２４と、内筒部１２１の一端に連なり遊挿孔１２３を通ってフランジ１２４の外表面から突出する係止アーム１２５と、係止アーム１２５の基端部に設けられパネル１０２の孔１０３内に係止する係止突起１２６とを備えている。
【０００６】
前述した構成のグロメット１０１をパネル１０２に取り付ける際には、まず、アウタグロメット１１０及びインナグロメット１２０内にワイヤハーネス１０４を通す。そして、フランジ嵌合部１１３にフランジ１２４を嵌合させ、かつ、アーム収容部１１４内に係止アーム１２５の自由端側を収容して、アウタグロメット１１０とインナグロメット１２０を一体化する。続いて、この一体化したグロメット１０１をインナグロメット１２０側からパネル１０２の孔１０３内に押し込んでいき、係止アーム１２５を弾性変形させて係止突起１２６をパネル１０２の孔１０３内に係止する。すると、パネル１０２の孔１０３の縁部が係止突起１２６とリップ１１５との間に位置付けられ、リップ１１５がパネル１０２の表面に接触する。こうして、リップ１１５がパネル１０２との間を水密に保って、グロメット１０１がパネル１０２に取り付けられる。
【０００７】
このグロメット１０１をパネル１０２から取り外す際には、アーム収容部１１４の外側から係止アーム１２５をワイヤハーネス１０４に近づく方向に弾性変形させて、係止突起１２６をワイヤハーネス１０４側に近づける。すると、係止突起１２６のパネル１０２の孔１０３内への係止が解除され、この状態でグロメット１０１をアウタグロメット１１０側に引っ張ることで、グロメット１０１は簡単にパネル１０２から取り外される。
【特許文献１】実開平７−１４５２０号公報
【発明の開示】
【発明が解決しようとする課題】
【０００８】
しかしながら、前述した特許文献１に記載されたグロメット１０１においては、パネル１０２の孔１０３の縁部が、合成樹脂等から構成されたインナグロメット１２０の係止突起１２６と、ゴム等から構成されたアウタグロメット１１０のリップ１１５との間に位置付けられているので、その材質及び形状から、特に係止突起１２６側における防水性能が低下するといった問題があった。さらに、インナグロメット１２０は係止アーム１２５や係止突起１２６等が形成されて形状が複雑であるので、インナグロメット１２０成形用の金型の構造が複雑になって製造コストがかかるといった問題があった。
【０００９】
本発明は、このような問題を解決することを目的としている。即ち、本発明は、高い防水性能を維持しながら、パネルの孔内から簡単に取り外すことができ、かつ、簡単な構造で安価に製造できるグロメットを提供することを目的としている。
【課題を解決するための手段】
【００１０】
前記課題を解決し目的を達成するために、請求項１に記載された発明は、弾性材料から構成されかつ筒状に形成されて内側にワイヤハーネスを通すアウタグロメットと、前記アウタグロメットの一端部側に設けられた係止凹部と、を備え、前記アウタグロメットをパネルの孔内に挿入し、前記係止凹部が前記孔内に係止するグロメットにおいて、前記係止凹部が、前記アウタグロメットの一端部寄りの第１の壁と、この第１の壁と対向する前記アウタグロメットの他端部寄りの第２の壁と、により形成され、前記第２の壁を内方に撓ませて孔内に係止し、前記第１の壁と前記第２の壁とのうちの一方の他方から離れた外表面から凹に設けられ、かつ、前記アウタグロメットの周方向に沿った凹みを備えるとともに、前記凹み内に収容される筒部を有したインナグロメットを備えたことを特徴としたグロメットである。
【００１１】
請求項２に記載された発明は、請求項１に記載されたグロメットにおいて、前記凹みと前記筒部とのうちの一方に設けられかつ一方から他方に向かって突出した突部と、他方に設けられ前記突部と係合する溝部と、を備えたことを特徴としたグロメットである。
【００１２】
請求項３に記載された発明は、請求項２に記載されたグロメットにおいて、前記突部が、前記凹みの互いに対向する一対の内面のそれぞれの内面から凸に設けられているとともに、一対の前記突部の先端同士が、前記アウタグロメットの軸心方向に沿ってずれて設けられたことを特徴としたグロメットである。
【００１３】
請求項４に記載された発明は、請求項１ないし請求項３のうちいずれか一項に記載されたグロメットにおいて、前記インナグロメットが、前記筒部に連なり前記凹み外に配される突出部を備えたことを特徴としたグロメットである。
【発明の効果】
【００１４】
請求項１に記載された発明によれば、弾性材料から構成されたアウタグロメットの係止凹部が第１の壁と第２の壁とにより形成されているので、パネルの両表面において高い防水性能を発揮することができる。さらに、第１の壁と第２の壁とのうちの一方の他方から離れた外表面から凹に設けられてアウタグロメットの周方向に沿った凹みを備えるとともに、凹み内に収容される筒部を有したインナグロメットを備えているので、インナグロメットを引き抜いた後に凹みが設けられていない壁側からアウタグロメットを引っ張ると、凹みが押し潰されてアウタグロメットが簡単に縮径（内外径が縮小することを示す）し、アウタグロメット即ちグロメットをパネルの孔内から簡単に取り外すことができる。勿論、アウタグロメットを取り付ける際にも、凹みが押し潰されてアウタグロメットが簡単に縮径し、アウタグロメット即ちグロメットをパネルの孔内に簡単に取り付けることができる。さらに、インナグロメットは筒状の簡単な構造であるので、安価に製造することができる。
【００１５】
請求項２に記載された発明によれば、凹みと筒部とのうちの一方に設けられかつ他方に向かって突出した突部と、他方に設けられ突部と係合する溝部とを備えているので、突部と溝部とが係合することで筒部が凹み内から不用意に抜け落ちることがなく、アウタグロメットとインナグロメットとを確実に係止して、グロメットがパネルから抜け落ちるのを確実に防止することができる。
【００１６】
請求項３に記載された発明によれば、突部が凹みの一対の内面のそれぞれの内面から凸に一対設けられ、一対の突部の先端同士がアウタグロメットの軸心方向に沿ってずれて設けられているので、凹みが押し潰される際に突部の先端同士が接触することがなく、凹みが押し潰されやすくなってアウタグロメットをより小さな力でスムーズにパネルの孔内から引き抜く（孔内に押し込む）ことができ、グロメットを簡単にパネルの孔内から取り外す（孔内に取り付ける）ことができる。
【００１７】
請求項４に記載された発明によれば、インナグロメットが凹み外に配される突出部を備えているので、突出部を引っ張ることでインナグロメットをアウタグロメットから簡単に引き抜くことができ、グロメットを簡単にパネルの孔内から取り外すことができる。
【発明を実施するための最良の形態】
【００１８】
以下、本発明の第一の実施形態にかかるグロメットを図１ないし図５を参照して説明する。本発明の第一の実施形態にかかるグロメット１は、図１に示すように、車両としての自動車等の車体を構成するパネル２に設けられた孔３に取り付けられる。
【００１９】
グロメット１は、筒状に形成されているとともに、内側に前記自動車に配索されるワイヤハーネス（図２中に二点鎖線で示す）４を通す。グロメット１は、パネル２との間を水密に保ち、該パネル２との間から内側に水等の水分（液体）が侵入することを防止して、前記ワイヤハーネス４に水等の水分（液体）が付着することを防止する。グロメット１は、図２に示すように、アウタグロメット１０と、インナグロメット２０とを別体で備えている。
【００２０】
アウタグロメット１０は、弾性変形自在な弾性材料としてのゴム等から構成されている。アウタグロメット１０は、筒状に形成されて内側にワイヤハーネス４を通す。アウタグロメット１０は、図３に示すように、小径筒部１１と拡径筒部１２とを一体に備えている。小径筒部１１は、円筒状に形成され、内側にワイヤハーネス４を通す。小径筒部１１の外径は、パネル２の孔３の内径より小さい。
【００２１】
拡径筒部１２は、一端部１２ａが小径筒部１１に連なり、この小径筒部１１から離れるにしたがって（即ち、他端部１２ｂに向かうにしたがって）内外径が徐々に拡大する円筒状に形成されている。拡径筒部１２は、小径筒部１１と同軸に配されているとともに、該小径筒部１１に直列に連結している。拡径筒部１２は、小径筒部１１内を通るワイヤハーネス４を内側に通す。拡径筒部１２の一端部１２ａの外径は、パネル２の孔３の内径より小さい。拡径筒部１２の他端部１２ｂの外径は、パネル２の孔３の内径より大きい。
【００２２】
なお、拡径筒部１２の他端部１２ｂは、特許請求の範囲に記載のアウタグロメット１０の一端部に相当する。小径筒部１１の拡径筒部１２から離れた端部１１ａは、特許請求の範囲に記載のアウタグロメット１０の他端部に相当する。
【００２３】
拡径筒部１２の他端部１２ｂには、全周に亘って、係止凹部１３が設けられている。係止凹部１３は、拡径筒部１２の外表面から凹に形成されている。係止凹部１３は、図３に示すように、拡径筒部１２の他端部１２ｂ寄りの第１の壁１４と、拡径筒部１２即ちアウタグロメット１０の軸心Ｐｏ（以下、単に軸心Ｐｏという）方向（軸心Ｐｏに平行な方向）に沿って第１の壁１４と対向する小径筒部１１の端部１１ａ寄りの第２の壁１５と、第１の壁１４と第２の壁１５との間に設けられた凹溝１６とによって形成されている。
【００２４】
第１の壁１４の軸心Ｐｏ方向に沿った断面形状は、矩形状に形成されている。第１の壁１４には、リップ１７が設けられている。リップ１７は、第１の壁１４の外縁部に設けられている。リップ１７は、第１の壁１４の第２の壁１５と対向する外表面から第２の壁１５に向かって凸に形成されている。リップ１７は、拡径筒部１２の全周に亘って設けられている。
【００２５】
第２の壁１５は、拡径筒部１２の前述した他端部１２ｂに設けられ、第１の壁１４より小径筒部１１寄りに配されている。第２の壁１５の軸心Ｐｏ方向に沿った断面形状は、二つの傾斜面１５ａ、１５ｂによって三角形状に形成されている。第１の傾斜面１５ａは、第２の壁１５の第１の壁１４と対向する外表面に設けられ、第１の壁１４に近づくにしたがって軸心Ｐｏに近づくように傾斜している。第２の傾斜面１５ｂは、第２の壁１５の第１の壁１４から離れた外表面に設けられ、第１の壁１４から離れるにしたがって軸心Ｐｏに近づくように傾斜している。
【００２６】
さらに、第２の壁１５には、凹み１８と、突部１９とが設けられている。凹み１８は、第２の壁１５の基端部に設けられ、前述した第２の傾斜面１５ｂから軸心Ｐｏ方向に沿って凹に設けられている。凹み１８は、拡径筒部１２即ちアウタグロメット１０の周方向に沿って、その全周に亘って設けられている。凹み１８の軸心Ｐｏ方向に沿った深さは、凹み１８の全長に亘って等しい。凹み１８は、互いに対向する一対の内面１８ａと、これら一対の内面１８ａと直交する底面１８ｂとによって、その断面形状がコ字状に形成されている。凹み１８内には、インナグロメット２０が収容される（図２）。
【００２７】
突部１９は、前述した一対の内面１８ａのそれぞれの内面１８ａから凸に設けられている。突部１９は、凹み１８内に一対設けられている。一対の突部１９は、それぞれの内面１８ａから互いに近づく方向に突出し、軸心Ｐｏと直交する方向に突出している。凹み１８内にインナグロメット２０の後述する筒部２１が収容されると、突部１９は、筒部２１に向かって突出する。突部１９は、内面１８ａの幅方向略中央に、内面１８ａの長手方向全長（全周）に亘って設けられている。一対の突部１９は互いに同形状に形成され、その断面形状はＶ字状に形成されている。一対の突部１９は、軸心Ｐｏ方向に沿って互いに同位置に設けられ、一対の突部１９の先端同士は、軸心Ｐｏ方向に沿って同位置に設けられている。
【００２８】
前述した構成の係止凹部１３は、アウタグロメット１０を軸心Ｐｏ方向に沿って小径筒部１１からパネル２の孔３内に押し込んで（挿入して）、凹み１８を押し潰して第２の壁１５を一旦拡径筒部１２の内方向に撓ませる。そして、凹溝１６内にパネル２の孔３の縁部を位置付けて、第２の壁１５を弾性復元力により初期状態（第２の壁１５が弾性変形していない状態）に復帰させて、パネル２の孔３内に係止する。係止凹部１３がパネル２の孔３内に係止すると、凹溝１６の底面は、パネル２の孔３の内面に接触して、パネル２の孔３の内面との間を水密に保つ。また、このとき、リップ１７は、パネル２の表面に接触して、パネル２の表面との間を水密に保つ。
【００２９】
インナグロメット２０は、アウタグロメット１０よりも硬く、かつ、弾性変形をほとんどしない硬質な合成樹脂等から構成されている。インナグロメット２０は、図４に示すように、筒部２１と、筒部２１に設けられた溝部２２と、筒部２１に連なる突出部２３とを備えている。筒部２１は、等幅リング状に形成されている。筒部２１即ちインナグロメット２０の軸心Ｐｉ（以下、単に軸心Ｐｉという）方向（軸心Ｐｉに平行な方向）に沿った筒部２１の幅は、凹み１８の前述した深さと略等しい。筒部２１の内径は、凹み１８の内径よりも大きく、筒部２１の外径は、凹み１８の外径よりも小さい。即ち、筒部２１の厚さは、凹み１８の一対の内面１８ａ同士の間隔より薄い。また、筒部２１の厚さは、一対の突部１９の先端同士の間隔より厚い。筒部２１は、凹み１８内に収容される。
【００３０】
溝部２２は、筒部２１に一対設けられている。一方の溝部２２は筒部２１の外周面から凹に設けられ、他方の溝部２２は筒部２１の内周面から凹に設けられている。これら一対の溝部２２は、各周面の幅方向略中央に、各周面の長手方向全長（全周）に亘って設けられている。一対の溝部２２は互いに同形状に形成され、その断面形状はＶ字状に形成されている。一対の溝部２２は、軸心Ｐｉ方向に沿って互いに同位置に設けられている。溝部２２は、アウタグロメット１０の突部１９と係合する。
【００３１】
突出部２３は、筒部２１の一端部２１ａから軸心Ｐｉ方向に沿って突出している。突出部２３は、軸心Ｐｉを互いの間に位置付けるように一対設けられている。突出部２３は、それぞれ、筒部２１と面一に設けられている。突出部２３の中央には、該突出部２３を貫通した丸孔２４が設けられている。
【００３２】
前述した構成のインナグロメット２０は、アウタグロメット１０に取り付けられる。インナグロメット２０は、筒部２１の他端部２１ｂ側からアウタグロメット１０の凹み１８内に挿入していくと、該他端部２１ｂと突部１９とが接触して第２の壁１５を弾性変形させ、凹み１８を押し広げる。そして、溝部２２内に突部１９の先端が収容されて溝部２２と突部１９とが係合すると、第２の壁１５を弾性復元力により初期状態に復帰させて、凹み１８内に係止する。このとき、筒部２１全体が凹み１８内に収容されるとともに、突出部２３は凹み１８内から突出して凹み１８外に配される。
【００３３】
前述した構成のグロメット１をパネル２に取り付ける際には、まず、アウタグロメット１０をパネル２に取り付ける。即ち、小径筒部１１とパネル２の孔３とを軸心Ｐｏ方向に沿って相対させ、軸心Ｐｏ方向に沿ってアウタグロメット１０を小径筒部１１の端部１１ａから孔３内に徐々に押し込んでいく。すると、第２の壁１５の第２の傾斜面１５ｂがパネル２の孔３の縁部に接触する。
【００３４】
さらにアウタグロメット１０をパネル２の孔３内に押し込んでいくと、パネル２の孔３の縁部によって、第２の壁１５が内側に向かって押圧され、凹み１８が押し潰されて拡径筒部１２は内外径が縮小する。そして、パネル２の孔３の縁部が第１の傾斜面１５ａを通過して凹溝１６内に位置する。すると、パネル２の孔３の内面に凹溝１６の底面が接触するとともにパネル２の表面にリップ１７が接触する。こうして、凹溝１６とリップ１７とがパネル２との間を水密に保って、係止凹部１３がパネル２の孔３内に係止して、アウタグロメット１０がパネル２に取り付けられる（図３）。
【００３５】
続いて、インナグロメット２０をアウタグロメット１０に取り付ける。インナグロメット２０とアウタグロメット１０とを軸心Ｐｉ、Ｐｏを重ねるように相対させ、軸心Ｐｉ、Ｐｏに沿ってインナグロメット２０を筒部２１の他端部２１ｂ側から凹み１８内に徐々に挿入していく。すると、該他端部２１ｂは、突部１９とが接触して凹み１８を押し広げる。その後、溝部２２内に突部１９の先端が収容され、筒部２１の他端部２１ｂ側端面が凹み１８の底面１８ｂと接触して、インナグロメット２０がアウタグロメット１０に係止し、インナグロメット２０がアウタグロメット１０に取り付けられる。以上のように、グロメット１がパネル２に取り付けられる（図１及び図２）。
【００３６】
このグロメット１をパネル２から取り外す際には、インナグロメット２０の突出部２３の丸孔２４内に例えば鉤針状の治具（図示せず）を通し、該治具を図５中の矢印Ａ方向に引っ張って、インナグロメット２０をアウタグロメット１０から引き抜く。続いて、アウタグロメット１０を図５中の矢印Ｂ方向に引っ張る。すると、第２の壁１５の第１の傾斜面１５ａがパネル２の孔３の縁部に接触する。さらにアウタグロメット１０を引っ張ると、パネル２の孔３の縁部によって、第２の壁１５が内側に向かって押圧され、凹み１８が押し潰されて拡径筒部１２は内外径が縮小する。そして、パネル２の孔３の縁部が第２の傾斜面１５ｂを通過してアウタグロメット１０がパネル２の孔３内から引き抜かれ、グロメット１がパネル２から取り外される。
【００３７】
本実施形態によれば、弾性材料から構成されたアウタグロメット１０の係止凹部１３が第１の壁１４と第２の壁１５とにより形成されているので、パネル２の両表面において高い防水性能を発揮することができる。さらに、第２の壁１５の第１の壁１４から離れた外表面から凹に設けられてアウタグロメット１０の周方向に沿った凹み１８を備えるとともに、凹み１８内に収容される筒部２１を有したインナグロメット２０を備えているので、インナグロメット２０を引き抜いた後に第１の壁１４側からアウタグロメット１０を引っ張ると、凹み１８が押し潰されてアウタグロメット１０が簡単に縮径し、アウタグロメット１０即ちグロメット１をパネル２の孔３内から簡単に取り外すことができる。勿論、アウタグロメット１０を取り付ける際にも、凹み１８が押し潰されてアウタグロメット１０が簡単に縮径し、アウタグロメット１０即ちグロメット１をパネル２の孔３内に簡単に取り付けることができる。さらに、インナグロメット２０は筒状の簡単な構造であるので、安価に製造することができる。
【００３８】
凹み１８に設けられかつ筒部２１に向かって突出した突部１９と、筒部２１に設けられ突部１９と係合する溝部２２とを備えているので、突部１９と溝部２２とが係合することで筒部２１が凹み１８内から不用意に抜け落ちることがなく、アウタグロメット１０とインナグロメット２０とを確実に係止して、グロメット１がパネル２から抜け落ちるのを確実に防止することができる。
【００３９】
インナグロメット２０が凹み１８外に配される突出部２３を備えているので、突出部２３を引っ張ることでインナグロメット２０をアウタグロメット１０から簡単に引き抜くことができ、グロメット１を簡単にパネル２の孔３内から取り外すことができる。
【００４０】
次に、本発明の第二の実施形態にかかるグロメット１Ａを、図６及び図７を参照して説明する。なお、前述した第一の実施形態と同一構成部分には、同一符号を付して説明を省略する。
【００４１】
本発明の第二の実施形態にかかるグロメット１Ａは、第一の実施形態のグロメット１と比較すると、アウタグロメット１０Ａの凹み１８Ａと、インナグロメット２０Ａの筒部２１Ａとが異なる。
【００４２】
凹み１８Ａは、拡径筒部１２即ちアウタグロメット１０Ａの周方向に沿って、その全周に亘って設けられている。凹み１８Ａの深さは、図６に示すように、筒部２１Ａの後述する幅狭部２６が収容される部分は、幅狭部２６の幅と等しく（浅く）形成されている。
また、筒部２１Ａの後述する幅広部２７が収容される部分は、幅広部２７の幅と等しく（即ち、深く）形成され、該部分にのみ突部１９が形成されている。
【００４３】
筒部２１Ａには、図７に示すように、切り欠き部２５が設けられている。切り欠き部２５は、筒部２１Ａの他端部２１ｂから一端部２１ａの手前までを軸心Ｐｉ方向に沿って切り欠いた切り欠き状に形成されている。切り欠き部２５は、軸心Ｐｉを互いの間に位置付けるように一対設けられている。切り欠き部２５によって、筒部２１Ａには、幅狭部２６と幅広部２７とが形成される。幅広部２７は、筒部２１Ａの周方向に沿って突出部２３と同位置に設けられている。幅広部２７にのみ、溝部２２が形成されている。
【００４４】
本実施形態によっても、前述した第一の実施形態と同様の効果を得ることができる。さらに、突部１９及び溝部２２が短くなるので、より小さな力でインナグロメット２０Ａを取り付けたり取り外したりすることができる。また、突出部２３と幅広部２７とが筒部２１Ａの周方向に沿って同位置に設けられているので、インナグロメット２０Ａを引き抜く際に突出部２３を引っ張る力が溝部２２と突部１９とに効率よく作用して、簡単にインナグロメット２０Ａを取り外すことができる。また、切り欠き部２５によって筒部２１Ａの体積が減少するので、インナグロメット２０Ａを成形する樹脂材料を低減することができる。
【００４５】
次に、本発明の第三の実施形態にかかるグロメット１Ｂを、図８を参照して説明する。なお、前述した第一の実施形態と同一構成部分には、同一符号を付して説明を省略する。
【００４６】
本発明の第三の実施形態にかかるグロメット１Ｂは、第一の実施形態のグロメット１と比較すると、アウタグロメット１０Ｂの突部１９Ｂと、インナグロメット２０Ｂの溝部２２Ｂとが異なる。
【００４７】
一対の突部１９Ｂは、図８に示すように、軸心Ｐｏ方向（図８中、矢印Ｐで示す）に沿ってずれ長さＬ１分ずれて設けられ、これに伴って一対の突部１９Ｂの先端同士も軸心Ｐｏ方向に沿ってずれ長さＬ１分ずれて設けられている。溝部２２Ｂは、突部１９Ｂの先端に対応して、軸心Ｐｉ方向（即ち、軸心Ｐｏ方向）に沿ってずれ長さＬ１分ずれて設けられている。
【００４８】
また、グロメット１Ｂの変形例として、図９に示すグロメット１Ｃとしてもよい。グロメット１Ｃのアウタグロメット１０Ｃは、突部１９Ｃが軸心Ｐｏ方向（図９中、矢印Ｐで示す）に沿って同位置に設けられているが、一対の突部１９Ｃの先端同士は軸心Ｐｏ方向に沿ってずれ長さＬ２ずれて設けられている。また、インナグロメット２０Ｃの溝部２２Ｃは、突部１９Ｃの先端に対応して、軸心Ｐｉ方向（即ち、軸心Ｐｏ方向）に沿ってずれ長さＬ２ずれて設けられている。
【００４９】
本実施形態によっても、前述した第一の実施形態と同様の効果を得ることができる。さらに、突部１９Ｂ（１９Ｃ）が凹み１８の一対の内面１８ａのそれぞれの内面１８ａから凸に一対設けられ、一対の突部１９Ｂ（１９Ｃ）の先端同士がアウタグロメット１０Ｂ（１０Ｃ）の軸心方向に沿ってずれて設けられているので、凹み１８が押し潰される際に突部１９Ｂ（１９Ｃ）の先端同士が接触することがなく、凹み１８が押し潰されやすくなってアウタグロメット１０Ｂ（１０Ｃ）をより小さな力でスムーズにパネル２の孔３内から引き抜く（孔３内に押し込む）ことができ、グロメット１Ｂ（１Ｃ）を簡単にパネル２の孔３内から取り外す（孔３内に取り付ける）ことができる。
【００５０】
第一ないし第三の実施形態においては、凹み１８が第２の壁１５の第１の壁１４から離れた外表面に設けられていたが、第１の壁１４の第２の壁１５から離れた外表面に設けられていてもよい。また、突部１９（１９Ｂ、１９Ｃ）が凹み１８内に設けられ、溝部２２（２２Ｂ、２２Ｃ）が筒部２１に設けられていたが、突部１９（１９Ｂ、１９Ｃ）が筒部２１に設けられ、溝部２２（２２Ｂ、２２Ｃ）が凹み１８内に設けられていてもよい。
【００５１】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００５２】
【図１】本発明の第一の実施形態にかかるグロメットの斜視図である。
【図２】図１中のＩＩ−ＩＩ線に沿った断面図である。
【図３】図２に示されたアウタグロメットの断面図である。
【図４】図２に示されたインナグロメットの斜視図である。
【図５】図２に示されたグロメットがパネルから取り外されつつある状態を示す断面図である。
【図６】本発明の第二の実施形態にかかるグロメットの一部切り欠き斜視断面図である。
【図７】図６に示されたインナグロメットの断面斜視図である。
【図８】本発明の第三の実施形態にかかるグロメットの要部を拡大して示す断面図である。
【図９】図８に示されたグロメットの変形例を示す断面図である。
【図１０】従来のグロメットを示す断面図である。
【符号の説明】
【００５３】
１、１Ａ、１Ｂ、１Ｃ    グロメット
２    パネル
３    孔
４    ワイヤハーネス
１０、１０Ａ、１０Ｂ、１０Ｃ    アウタグロメット
１１ａ    小径筒部の端部（アウタグロメットの他端部）
１２ｂ    拡径筒部の他端部（アウタグロメットの一端部）
１３    係止凹部
１４    第１の壁
１５    第２の壁
１８    凹み
１９、１９Ｂ、１９Ｃ    突部
２０、２０Ａ、２０Ｂ、２０Ｃ    インナグロメット
２１、２１Ａ    筒部
２２、２２Ｂ、２２Ｃ    溝部
２３    突出部
【図１】
2009183085.tif 000003
【図２】
2009183085.tif 000004
【図３】
2009183085.tif 000005
【図４】
2009183085.tif 000006
【図５】
2009183085.tif 000007
【図６】
2009183085.tif 000008
【図７】
2009183085.tif 000009
【図８】
2009183085.tif 000010
【図９】
2009183085.tif 000011
【図１０】
2009183085.tif 000012